(57)【要約】電力を携帯電子機器に供給するための携帯充電機器が記載される。携帯電源は、第一のコンパートメントがバッテリコンパートメントであり、第二のコンパートメントが、バッテリコンパートメントの壁に形成された充電リードアパーチャによってそれと互いに連絡する充電リードコンパートメントである、少なくとも二つのコンパートメントを含むバッテリバッグと、バッテリアセンブリの形状の充電ストアであって、バッテリアセンブリが、バッテリバッグの内部に配置されており、バッテリに電気的に接続された第一のリードを含み、バッテリの充電及び／または放電中に、バッテリと携帯電子機器との間で電荷を輸送するための近位端及び遠位端を有し、リードが、電源出力と電気的接続するための、遠位端における遠位プラグを含み、第二のプラグがマルチピンプラグである、充電ストアと、を含む。【選択図】図５
2016512984.tif 000002
【特許請求の範囲】
【請求項１】
第一のコンパートメントがバッテリコンパートメントであり、第二のコンパートメントが、前記バッテリコンパートメントの壁に形成された充電リードアパーチャによってそれと互いに連絡する充電リードコンパートメントである少なくとも二つのコンパートメントを含むバッテリバッグと、
バッテリアセンブリの形状の充電ストアであって、前記バッテリアセンブリが、前記バッテリバッグの内部に配置されており、前記バッテリに電気的に接続された第一のリードを含み、前記バッテリの充電及び／または放電中に、前記バッテリと携帯電子機器との間で電荷を輸送するための近位端及び遠位端を有し、前記リードが、電源出力と電気的接続するための、前記遠位端における遠位プラグを含み、第二のプラグがマルチピンプラグである、充電ストアと
を含む、電力を携帯電子機器に供給するための携帯充電機器。
【請求項２】
前記バッテリの充電及び／または放電中に、前記バッテリと前記携帯電子機器との間で電荷を輸送するための、前記バッテリに電気的に接続された第二のリードであって、電源出力と電気的接続するための、前記遠位端における遠位プラグを含み、前記第二のプラグがマルチピンプラグである、第二のリードが提供される、請求項１に記載の携帯充電機器。
【請求項３】
前記第一または第二のリードの第二の端部と、異なるタイプの電子機器または電源との間の接続を容易にするためのアダプタプラグが提供される、請求項１または２に記載の携帯充電機器。
【請求項４】
前記アダプタプラグが、マイクロＵＳＢと３０ピンプラグとの間、マイクロＵＳＢと８ピンプラグとの間、ＵＳＢと３０ピンプラグとの間、ＵＳＢと８ピンプラグとの間、または逆にも同様に適応する、請求項３に記載の携帯充電機器。
【請求項５】
前記第一の及び／または第二のリードの前記遠位端と、前記電子機器または電源とを接続するための一つ以上の伸長リードが提供される、請求項１〜４のいずれか１項に記載の携帯充電機器。
【請求項６】
前記伸長リードが、近位端に近位ソケット及び前記遠位端に遠位プラグを含み、前記近位ソケットと前記遠位プラグとが、異なる電子機器が前記第一または第二のリードの前記近位端ではなく、前記伸長リードの前記遠位端に接続できるように、互いに連携しない、請求項５に記載の携帯充電機器。
【請求項７】
前記第一及び第二のリードの前記近位端が、前記バッテリの壁から前記バッテリ壁と実質的に平行に延伸する、請求項１〜６のいずれか１項に記載の携帯充電機器。
【請求項８】
前記バッテリバッグが、開口、壁及び使用中に前記バッテリバッグをその内部に収納する、前記開口を通じてアクセス可能な空洞を含む小さなキャリングバッグに脱着可能に留めるためにそこに取り付けられた脱着可能なファスナを含む、請求項１〜７のいずれか１項に記載の携帯充電機器。
【請求項９】
前記連携する取り外し可能なファスナが、前記小さなキャリングバッグの前記開口に隣接して取り付けられる、請求項１〜８のいずれか１項に記載の携帯充電機器。
【請求項１０】
前記取り外し可能なファスナがスナップボタンである、請求項９に記載の携帯充電機器。
【請求項１１】
前記キャリングバッグが、連携する取り外し可能なファスナが取り付けられる、前記バッグ内側のタグを含む、請求項１〜１０のいずれか１項に記載の携帯充電機器。
【請求項１２】
前記バッテリコンパートメントが、前記バッテリコンパートメントが開いているときでさえも、前記バッテリを前記バッテリコンパートメント内に保持するバッテリ受けを含む、請求項１〜１１のいずれか１項に記載の携帯充電機器。
【請求項１３】
前記バッテリ受けが、前記バッテリコンパートメントを閉じるファスナである、請求項１２に記載の携帯充電機器。
【請求項１４】
前記バッテリバッグが、開口であって、前記バッテリコンパートメントが前記開口の遠位側にあり、前記リードコンパートメントが前記開口の近位側に配置されるような前記開口を含む、請求項１〜１３のいずれか１項に記載の携帯充電機器。
【請求項１５】
前記バッテリコンパートメントが、前記バッテリを取り出しできないように密閉される、請求項１〜１４のいずれか１項に記載の携帯充電機器。
【請求項１６】
前記充電ストアの充電状態を示す充電表示器が提供される、請求項１〜１５のいずれか１項に記載の携帯充電機器。
【請求項１７】
前記充電表示器を、前記バッテリの壁に配置し、前記バッテリコンパートメントの前記壁に形成されたビューイングアパーチャまたは前記リードアパーチャを通して見ることができる、請求項１６に記載の携帯充電機器。
【請求項１８】
前記ビューイングアパーチャが、引き裂かれないような補強材を含む、請求項１〜１７のいずれか１項に記載の携帯充電機器。
【請求項１９】
前記充電表示器が、前記小さなキャリングバッグの前記空洞の内側を覗き込むことなく見ることができるように、前記リードのうちの一つまたは前記プラグのうちの一つに配置される、請求項１８に記載の携帯充電機器。
【請求項２０】
前記バッテリバッグが、前記バッテリバッグの一方の側面に携帯電子機器コンパートメントが提供され、前記バッテリバッグの他方の側面における前記バッグ内に、他の物品を収容するための収容コンパートメントが提供されるように、前記キャリングバッグに取り付けられる、請求項１〜１９のいずれか１項に記載の携帯充電機器。
【請求項２１】
バッテリ装填開口及び／または前記リードコンパートメントの前記開口を、解放可能なファスナを用いて解放可能に閉じることができる、請求項１〜２０のいずれか１項に記載の携帯充電機器。
【請求項２２】
前記バッテリコンパートメントが、前記バッテリバッグが前記キャリングバッグに接続されているときに、前記第二のリードが、前記バッテリバッグの外側から、前記電子機器コンパートメント内における前記キャリングバッグの内側に延伸できるようなリードアパーチャを含む、請求項１〜２１のいずれか１項に記載の携帯充電機器。
【請求項２３】
電力を携帯電子機器に供給するための携帯充電機器であって、
バッテリコンパートメントの壁に形成された充電リードアパーチャによって互いに連絡するバッテリコンパートメント及び携帯電子機器コンパートメントを含むキャリングバッグであって、前記バッテリが前記小さなキャリングバッグ内の前記バッテリコンパートメント内に配置され、前記携帯電子機器コンパートメントが携帯電子機器を受け入れるように構成された、キャリングバッグと、
バッテリの形態の充電ストアと、
前記バッテリの壁における選択されたリードアウトレットポイントに、前記バッテリと電気通信する近位端を有する第一のリードであって、前記バッテリと前記第一のリードの遠位端との間で電荷を輸送するための第一のリードと
を含み、
前記第一のリードが、前記バッテリの前記第一のリードアウトレットポイントと電気的接続するための、前記遠位端における遠位プラグを含む、
電力を携帯電子機器に供給するための携帯充電機器。
【請求項２４】
前記第一のリードアウトレットポイントが、前記バッテリの壁に配置された充電ソケットであり、前記第一の充電ソケットが、前記バッテリにまたはそこから電荷を移動するように構成され、リードに付いている充電プラグを受け入れるように適応し、前記充電プラグが、前記充電ソケットと連携するように適応する、請求項２３に記載の携帯充電機器。
【請求項２５】
前記小さなキャリングバッグが、クラッチパース、筆箱、化粧品コンパクト、またはハンドバッグである、請求項１〜２４のいずれか１項に記載の携帯充電機器。
【請求項２６】
電力を携帯電子機器に供給するための携帯充電機器に組み立てるための部品のキットであって、
バッテリの壁に配置された、
第一の充電ソケットと連携するように適応する充電プラグを受け入れるように構成された第一の充電ソケットを含むバッテリの形態の充電ストアと、
バッテリコンパートメントの壁に形成された充電リードアパーチャによって互いに連絡する前記バッテリコンパートメント及び携帯電子機器コンパートメントを含むキャリングバッグであって、前記バッテリが小さなキャリングバッグ内の前記バッテリコンパートメント内に配置され、前記携帯電子機器コンパートメントが前記携帯電子機器を受け入れるように構成された、キャリングバッグと、
前記バッテリの充電または放電中に、第一の端部と第二の端部との間で電荷を輸送するための第一のリードであって、前記バッテリの前記第一の充電ソケットと電気的接続するための、前記第一の端部における、マルチピンプラグである第一のプラグ、及び電子機器または電源出力と電気的接続するための、前記第二の端部における、マルチピンプラグである第二のプラグを含む、第一のリードと
を含む、キット。
【請求項２７】
前記第一のリードの前記第二の端部と電子機器とを接続するための、第一の端部に第一のソケット及び前記第二の端部に第二のプラグを含む伸長リードであって、前記第一のソケットと前記第二のプラグとが、異なる電子機器が前記第一または第二のリードの前記第二の端部ではなく、前記伸長リードの前記第二の端部に接続できるように、互いに連携しない、伸長リードが提供される、請求項２６に記載の部品のキット。
【発明の詳細な説明】
【技術分野】
【０００１】
本発明は、携帯電子機器を充電または再充電するための携帯充電機器に関する。携帯充電機器は、ハンドバッグを含む小さなキャリングバッグ、クラッチパース、筆箱、財布、化粧品またはメイクアップコンパクト及び化粧品またはメイクアップバッグ、小さなバックパックなどの用途に最も適している。
【背景技術】
【０００２】
本発明の選択的なまたは好ましい実施形態に関する本明細書における詳細な議論は、クラッチパースに関係するが、同様の原理を、ハンドバッグ、筆箱、化粧品コンパクト、小さなバックパック、及び他の小さなキャリングバッグに応用できることが理解されるはずである
【０００３】
例えば、夜間のナイトクラブまたはレストランなどの、屋外または街中への短時間の外出時、女性は、現代の社会生活に必要なそれらの要素のみを持ち、軽装で移動することを望んでいる。持ち運びに適当な最適なアイテムは、現金、クレジットカード、身分証明書、小さな化粧品またはメイクアップアイテム、いくつかの小さな健康管理アイテム、及びスマートフォンなどの小さなアイテムである。
【０００４】
夜通しの社会生活を続けるためのスマートフォンバッテリの充電は、多くの場合に不十分となり、友人との交際、さらには専門機関との緊急連絡における受け入れ可能な入り口を維持するために、再充電または外部電源が必要である。主電源を再充電する手段は、多くの場合に得ることができない。
【発明の概要】
【発明が解決しようとする課題】
【０００５】
本発明は、新型の携帯充電または携帯再充電機器を提供する。
【０００６】
文書、行為及び知識事項が参照または議論される本明細書においては、この参照または議論は、該文書、行為もしくは知識事項またはそれらのいかなる組み合わせも、優先日において公知であり、または本明細書が関係する任意の問題を解決するための試みに関係していることが知られていたことを承認するものではない。
【０００７】
定義：本明細書及びそれに続く特許請求の範囲の全体を通して、プラグは、オスコネクタを指す。本明細書及びそれに続く特許請求の範囲の全体を通して、ソケットは、メスコネクタを指す。
【課題を解決するための手段】
【０００８】
本発明の第一の態様によれば、電力を携帯電子機器に供給するための携帯充電機器が提供される。この携帯充電機器は、
第一のコンパートメントがバッテリコンパートメントであり、第二のコンパートメントが、バッテリコンパートメントの壁に形成された充電リードアパーチャによってそれと互いに連絡する充電リードコンパートメントである少なくとも二つのコンパートメントを含むバッテリバッグと、
バッテリアセンブリの形状の充電ストアであって、バッテリアセンブリが、バッテリバッグの内部に配置されており、バッテリに電気的に接続された第一のリードを含み、バッテリの充電及び／または放電中に、バッテリと携帯電子機器との間で電荷を輸送するための近位端及び遠位端を有し、リードが、電源出力と電気的接続するための、遠位端における遠位プラグを含み、第二のプラグがマルチピンプラグである、充電ストアと、を含む。
【０００９】
好ましくは、バッテリの充電及び／または放電中に、バッテリと携帯電子機器との間で電荷を輸送するための、バッテリに電気的に接続された第二のリードであって、電源出力と電気的接続するための、遠位端における遠位プラグを含み、第二のプラグがマルチピンプラグである、リードが提供される。
【００１０】
好ましくは、第一または第二のリードの第二の端部と、異なるタイプの電子機器または電源との間の接続を容易にするためのアダプタプラグが提供される。
【００１１】
選択的に、マルチピンプラグは、任意の適切なプラグであり、１、２、３、４、５、６、７、８、９、１０、１１、１２、１３、１４、１５、１６、１７、１８、１９、２０、２１、２２、２３、２４、２５、２６、２７、２８、２９または他のピンプラグである。好ましくは、プラグは、Ａｐｐｌｅが提供するＬｉｇｈｔｎｉｎｇプラグまたはマイクロＵＳＢプラグである。
【００１２】
好ましくは、アダプタプラグは、マイクロＵＳＢと３０ピンプラグとの間、マイクロＵＳＢと８ピンプラグとの間、ＵＳＢと３０ピンプラグとの間、ＵＳＢと８ピンプラグとの間、または逆にも同様に適応する。
【００１３】
好ましくは、第一の及び／または第二のリードの遠位端と、電子機器または電源とを接続するための一つ以上の伸長リードが提供される。
【００１４】
好ましくは、伸長リードは、近位端に近位ソケット及び遠位端に遠位プラグを含み、近位ソケットと遠位プラグとは、異なる電子機器が第一または第二のリードの近位端ではなく、伸長リードの遠位端に接続できるように、互いに連携しない。
【００１５】
好ましくは、第一及び第二のリードの近位端は、バッテリ壁と実質的に平行にバッテリの壁から延伸する。
【００１６】
好ましくは、バッテリバッグは、開口、壁及び使用中にバッテリバッグをその内部に収納する、開口を通じてアクセス可能な空洞を含む小さなキャリングバッグに脱着可能に留めるためにそこに取り付けられた脱着可能なファスナを含む。
【００１７】
好ましくは、連携する取り外し可能なファスナが、小さなキャリングバッグの開口に隣接して取り付けられる。好ましくは、取り外し可能なファスナは、スナップボタンである。
【００１８】
好ましくは、キャリングバッグは、連携する取り外し可能なファスナが取り付けられる、バッグ内側のタグを含む。
【００１９】
好ましくは、バッテリコンパートメントは、バッテリコンパートメントが開かれているときでさえも、バッテリをバッテリコンパートメント内に保持するバッテリ受けを含む。
【００２０】
好ましくは、バッテリ受けは、バッテリコンパートメントを閉じるファスナである。
【００２１】
好ましくは、バッテリバッグは、バッテリコンパートメントが開口の遠位側に、リードコンパートメントが開口の近位側に配置されるような開口を含む。
【００２２】
好ましくは、バッテリコンパートメントは、バッテリを取り出しできないように密閉される。
【００２３】
好ましくは、充電ストアの充電状態を示す充電表示器が提供される。好ましくは、充電表示器は、バッテリの壁に配置され、バッテリコンパートメントの壁に形成されたビューイングアパーチャまたはリードアパーチャを通して見ることができる。好ましくは、ビューイングアパーチャは、引き裂きを阻止するための、アパーチャの周囲に配置された補強材を含む。好ましくは、充電表示器は、小さなキャリングバッグの空洞の内側を覗き込むことなく見ることができるように、リードのうちの一つまたはプラグのうちの一つに配置される。
【００２４】
好ましくは、バッテリバッグは、バッテリバッグの一方の側面に携帯電子機器コンパートメントが提供され、バッテリバッグの他方の側面におけるバッグ内に、他の物品を収容するための収容コンパートメントが提供されるように、キャリングバッグに取り付けられる。
【００２５】
好ましくは、バッテリ装填開口及び／またはリードコンパートメントの開口は、解放可能なファスナを用いて解放可能に閉じることができる。
【００２６】
好ましくは、バッテリコンパートメントは、バッテリバッグがキャリングバッグに接続されているときに、第二のリードが、バッテリバッグの外側から、電子機器コンパートメント内におけるキャリングバッグの内側に延伸できるようなリードアパーチャを含む。好ましくは、リードアパーチャは、バッテリバッグの基部に位置する。
【００２７】
本発明の別の態様によれば、電力を携帯電子機器に供給するための携帯充電が提供される。この携帯電源は、
バッテリの形態の充電ストアを含み、このバッテリが、
バッテリコンパートメントの壁に形成された充電リードアパーチャによって互いに連絡するバッテリコンパートメント及び携帯電子機器コンパートメントである少なくとも二つのコンパートメントを含むバッテリバッグであって、バッテリが小さなキャリングバッグ内のバッテリコンパートメント内に配置され、携帯電子機器コンパートメントが携帯電子機器を受け入れるように構成された、バッテリバッグと、
バッテリの充電または放電中に、第一の端部と第二の端部との間で電荷を輸送するための第一のリードであって、バッテリの第一の充電ソケットと電気的接続するための、第一の端部における、マルチピンプラグである第一のプラグ、及び電子機器または電源出力と電気的接続するための、第二の端部における、マルチピンプラグである第二のプラグを含む、第一のリードと、を含む。
【００２８】
好ましくは、マルチピンプラグは、適切なプラグであり、１、２、３、４、５、６、７、８、９、１０、１１、１２、１３、１４、１５、１６、１７、１８、１９、２０、２１、２２、２３、２４、２５、２６、２７、２８、２９または３０ピンプラグなどのプラグが、ＵＳＢプラグ、ミニＵＳＢプラグまたはマイクロＵＳＢプラグとして、適切であり得る。
【００２９】
好ましくは、第一のリードは短く、これにより使い勝手のよい運搬を促進するような小型かつ軽量の携帯電源装置が提供される。好ましくは、第一のリードは、バッテリをバッテリコンパートメントから取り外さなくても充電できるように、約１２０ｍｍの長さである。好ましくは、第二のリードは短く、これにより使い勝手のよい運搬を促進するような小型かつ軽量の携帯電源装置が提供される。しかしながら、第二のリードは、好ましくは、さらに、バッテリに接続しつつ、クラッチパースの外側でスマートフォンを使用するのに十分な長さである。換言すれば、好ましくは、第二のリードは、約１００ｍｍの長さである。主電源に差し込むことによってバッテリを充電している間にも電子機器を使用できることがわかる。
【００３０】
好ましくは、電源は、バッテリの壁に配置された第二の充電ソケットを含み、第二の充電ソケットは、充電プラグを受け入れるように構成される。
【００３１】
好ましくは、バッテリの壁に配置された第一及び第二の充電ソケットの各々は、本明細書に記載のプラグと連携する形状である。
【００３２】
好ましくは、第一または第二のリードの第二の端部と、異なるタイプの電子機器または電源との間の接続を容易にするためのアダプタプラグが提供される。
【００３３】
好ましくは、アダプタプラグは、マイクロＵＳＢと３０ピンプラグとの間、マイクロＵＳＢと８ピンプラグとの間、ＵＳＢと３０ピンプラグとの間、ＵＳＢと８ピンプラグとの間、または逆にも同様に適応する。
【００３４】
好ましくは、電源は、第一または第二のリードの第二の端部と、電子機器とを接続するための伸長リードを含む。
【００３５】
好ましくは、電源は、第一の端部に第一のソケット及び第二の端部に第二のプラグを含む伸長リードを含み、第一のソケットと第二のプラグとは、異なる電子機器が第一または第二のリードの第二の端部ではなく、伸長リードの第二の端部に接続できるように、互いに連携しない。
【００３６】
好ましくは、第一及び第二のリードの第一の端部における第一のプラグは、第一のプラグがバッテリの壁においてソケットと接続しているときに、リードの第一の端部がバッテリ壁と実質的に平行に延伸するように構成される。
【００３７】
好ましくは、第一及び第二のリードの第一の端部または第二の端部における第一または第二のプラグは、ソケットとリードとの間に実質的に直角の屈曲部を含む。
【００３８】
本発明の別の態様によれば、電力を携帯電子機器に供給するための携帯電源が提供される。この携帯電源は、
バッテリの形態の充電ストアと、
バッテリの壁における選択されたリードアウトレットポイントにおける、バッテリと一体の第一の端部を有する第一のリードであって、バッテリと第一のリードの第二の端部との間で電荷を輸送するための第一のリードと、
バッテリコンパートメントの壁に形成された充電リードアパーチャによって互いに連絡するバッテリコンパートメント及び携帯電子機器コンパートメントを含むキャリングバッグであって、バッテリが小さなキャリングバッグ内のバッテリコンパートメント内に配置され、携帯電子機器コンパートメントが携帯電子機器を受け入れるように構成された、キャリングバッグと、を含み、
第一のリードが、バッテリの第一の充電ソケットと電気的接続するための、第二の端部における、マルチピンプラグである第二のプラグを含む。
【００３９】
好ましくは、第一のリードは、バッテリ壁から出ると、バッテリの壁に沿って延伸する。
【００４０】
好ましくは、バッテリの壁における選択されたリードアウトレットポイントに、バッテリと一体の第二のアウトレットリードが提供される。この第二のリードは、バッテリと第二のリードの第二の端部との間で電荷を輸送する。
【００４１】
好ましくは、バッテリの壁に配置された第一の充電ソケットが提供される。この第一の充電ソケットは、バッテリにまたはそこから電荷を移動するように構成され、リードに付いている充電プラグを受け入れるように適応し、この充電プラグは、第一の充電ソケットと連携するように適応する。
【００４２】
好ましくは、バッテリコンパートメントは、収容凹部がバッテリコンパートメントのそれぞれの側面に形成されるような二重壁リーフポケットを含み、一方のコンパートメントが、電子機器を個々に収容するための電子機器コンパートメントであり、他方のコンパートメントが、個々の収容コンパートメントである。好ましくは、バッテリコンパートメントは、ジッパクロージャによって閉じることができる。ボタン、スナップボタン、フック及びループファスナを含む、適切であり得るバッテリコンパートメントのための他のクロージャも発明者らによって考慮される。好ましくは、スマートフォンの画面が他のアイテムによって傷つかないように、スマートフォンを一方の収容凹部内に配置し、他のアイテムを他方の収容凹部内に収容できるように、二つの収容凹部が形成される。
【００４３】
好ましくは、バッテリコンパートメントは、バッテリを装填するためのバッテリ装填開口を含む。好ましくは、バッテリは、概して、約５〜１０ｍｍ厚、約６０〜１００ｍｍ幅及び約１００〜２００ｍｍ長の矩形プリズムとして成形される。好ましくは、バッテリコンパートメントは、バッテリコンパートメント内のバッテリの位置付けを固定し、その据え付けを容易にするために、好ましいバッテリよりも各々の寸法が数ｍｍ長い。
【００４４】
小さなキャリングバッグの好ましい寸法も、コンパクトな運搬のために、バッテリよりも各々の寸法が数ｍｍ長い。
【００４５】
好ましくは、バッテリ装填開口は、解放可能なファスナによって解放可能に閉じることができる。好ましくは、解放可能なファスナは、ジッパであるが、フック及びループファスナ、ジップロックまたは他の適切なファスナであってもよい。
【００４６】
好ましくは、小さなキャリングバッグは、クラッチパース、筆箱、化粧品コンパクト、またはハンドバッグの形態である。好ましくは、バッテリコンパートメントは、小さなキャリングバッグから取り外し可能である。好ましくは、バッテリコンパートメントは、適切なファスナによって小さなキャリングバッグに取り外し可能に留められるバッテリケースである。好ましくは、ファスナは、スナップマウントと連携するスナップボタンであり、小さなキャリングバッグの内壁に取り付けられており、小さなキャリングバッグからの解放及び容易な再取り付けを促進する。
【００４７】
好ましくは、リードアパーチャによってバッテリコンパートメントと連絡するリードコンパートメントが提供される。好ましくは、リードアパーチャは、リードアパーチャの背面壁に形成される。好ましくは、リードコンパートメントは、奥行が約２０ｍｍであり、そして、長さが約１００ｍｍのバッテリコンパートメントの全幅にわたって、その上端に隣接して、バッテリコンパートメントから離れるように延伸する。
【００４８】
好ましくは、バッテリコンパートメントは、バッテリコンパートメントが開かれているときでさえも、バッテリをバッテリコンパートメント内に保持するバッテリ受けを含む。
【００４９】
好ましくは、バッテリコンパートメントは、バッテリ装填開口の遠位に位置し、リードコンパートメントは、バッテリ装填開口の近位に位置する。
【００５０】
好ましくは、バッテリ受けは、バッテリコンパートメントを閉じるファスナである。クロージャは、フック及びループファスナ、保持リブ、ポケット、壁または繊維リターンを含む任意の適切なクロージャであってもよいが、一つの好ましい実施形態では、バッテリコンパートメントのためのクロージャは、バッテリコンパートメントの壁に沿って糸で縫合され、バッテリコンパートメントが開いている間に中身が飛び出ないようにバッテリコンパートメントを密閉するように、バッテリコンパートメントの対向する壁に結合する。
【００５１】
好ましくは、充電ストアの充電状態を示す充電表示器が提供される。好ましくは、充電表示器は、バッテリの壁に配置され、バッテリコンパートメントの壁に形成されたアパーチャまたはリードアパーチャを通して見ることができる。充電表示器は、小さなキャリングバッグを開けずに見ることができるように、リードのうちの一つまたはプラグのうちの一つに配置することができる。
【００５２】
好ましくは、充電表示器は、ＬＥＤ光であるが、他の光もしくは画面または他の表示灯であってもよい。好ましくは、複数のＬＥＤ光が提供される。選択的に、ＬＥＤ光は、ＬＥＤ光の各々が単色光周波数であるか否か、または各々のＬＥＤがコンピュータ制御下で光周波数を選択的に放出できるか否かにかかわらず、適切な色にできる。
【００５３】
本発明のなおも別の態様によれば、電力を携帯電子機器に供給するための携帯電源に組み立てるための部品のキットが提供される。この部品のキットは、
バッテリの壁に配置された、
第一の充電ソケットと連携するように適応する充電プラグを受け入れるように構成された第一の充電ソケットを含むバッテリの形態の充電ストアと、
バッテリコンパートメントの壁に形成された充電リードアパーチャによって互いに連絡するバッテリコンパートメント及び携帯電子機器コンパートメントを含むキャリングバッグであって、バッテリが小さなキャリングバッグ内のバッテリコンパートメント内に配置され、携帯電子機器コンパートメントが携帯電子機器を受け入れるように構成された、キャリングバッグと、
バッテリの充電または放電中に、第一の端部と第二の端部との間で電荷を輸送するための第一のリードであって、バッテリの第一の充電ソケットと電気的接続するための、第一の端部における、３０ピンプラグ、１９ピンプラグ、ＵＳＢプラグまたはミニＵＳＢプラグである第一のプラグ、及び電子機器または電源出力と電気的接続するための、第二の端部における、３０ピンプラグ、１９ピンプラグ、ＵＳＢプラグまたはミニＵＳＢプラグである第二のプラグを含む、第一のリードと、を含む。
【００５４】
好ましくは、第一のリードの第二の端部と電子機器とを接続するための伸長リードが提供される。伸長リードは、第一の端部に第一のソケット及び第二の端部に第二のプラグを含む。第一のソケットと第二のプラグとは、異なる電子機器が第一または第二のリードの第二の端部ではなく、伸長リードの第二の端部に接続できるように、互いに連携しない。
【００５５】
携帯電子機器は、通信機器であってもよく、携帯電話、スマートフォン、ＭＰ３プレーヤ、電子手帳または他の同様の機器であってもよい。
【００５６】
好ましくは、バッテリコンパートメントは、基部端においてクラッチパースに取り付けられる。好ましくは、バッテリコンパートメントは、二つの側端においてクラッチパースに取り付けられる。好ましくは、バッテリコンパートメントは、側端においてクラッチパースに縫合される。しかしながら、バッテリコンパートメントは、スナップボタン、ボタン、フック及びループファスナなどを含む任意の他の適切な方法でも全く容易に留めることができる。
【００５７】
本発明の別の好ましい実施形態によれば、バッテリにおけるソケットは、ＵＳＢソケットである。ミニＵＳＢ、ＲＣＡ、Ｅｔｈｅｒｎｅｔ（登録商標）、ＤＩＮ、ＲＪ−ＸＸ、Ｆｉｒｅｗｉｒｅ、（Ａｐｐｌｅによる）Ｌｉｇｈｔｎｉｎｇ、（Ａｐｐｌｅによる）Ｔｈｕｎｄｅｒｂｏｌｔ、８ピン，３０ピンなどを含む他の充電インレットソケットも考慮される。
【００５８】
好ましくは、スマートフォンと接続するための、第二のリードの第二の端部における第二のプラグは、Ｉｐｈｏｎｅ５よりも先に生産されたＡｐｐｌｅＩｐｈｏｎｅと接続できるタイプの３０ピンプラグである。選択的に、プラグは、Ｉｐｈｏｎｅ５用の８ピンコネクタ、またはＳａｍｓｕｎｇ、ＨＴＣもしくは任意の他のスマートフォンとの接続用のコネクタである。選択的に、コネクタは、１、２、３、４、５、６、７、９、１０、１１、１２、１３、１４、１５、１６、１７、１８、１９、２０、２１、２２、２３、２４、２５、２６、２７、２８、２９、３０または必要に応じてそれ以上を含む任意の適切なピンサイズのものである。
【００５９】
アクセスアパーチャが、バッテリコンパートメントを開けることなく、充電アウトレットケーブルへのアクセスをもたらす。好ましくは、バッテリバッグは、簡単に傷つくことがあるその画面を含む携帯電子機器を損傷しないように繊維から構成される。
【００６０】
好ましくは、充電インレットケーブルは、通常の夜間での使用中、クラッチパースの内側の散らかりを少なくするように、バッテリコンパートメント内に配置される。
【００６１】
好ましくは、バッテリコンパートメントは、スマートフォンがクラッチパース内に配置されているときに、スマートフォンがこすれてスマートフォンの画面が傷つかないように、軟質繊維材料から構成される。
【００６２】
本発明のなおもさらなる形態によれば、電力を携帯電子機器に供給するための携帯電源が提供される。この携帯電源は、
充電アウトレットリードに接続するように適応するバッテリの形態の充電ストアと、
バッテリがクラッチパース内のバッテリコンパートメント内に配置された、バッテリコンパートメントを含むクラッチパースと、を含む。
【００６３】
この配置では、携帯電子機器コンパートメントを、充電アウトレットリードを通じてバッテリに接続しつつ、携帯電子機器を受け入れるように構成することができる。
【００６４】
携帯電源は、バッテリ、クラッチパース及び充電アウトレットケーブルがキット内に配置され、互いに接続するように適応する部品のキットの形態であってもよい。
【００６５】
より明確な理解を可能にするために、本発明を、以下の添付図面を参照してここでさらに説明し、例証する。
【図面の簡単な説明】
【００６６】
【図１】本発明の好ましい実施形態による携帯電源の側面図である。
【図２】図１に示す携帯電源の斜視平面図であり、携帯電源の一部であり、バッテリを格納するクラッチパースが開かれており、再密閉可能なバッテリコンパートメント及びそのそれぞれの側面に配置された二つの収容凹部を示す。
【図３】図１に示す携帯電源の斜視平面図であり、クラッチパース及び再密閉可能なバッテリコンパートメントが、両方共開かれている。
【図４】本発明の好ましい実施形態における適切なコンポーネントであるバッテリアセンブリの形状の充電ストアの正面図である。
【図５】小さなキャリングバッグから取り外されたバッテリバッグの斜視図であり、バッテリバッグの開口が開かれており、密閉されたバッテリコンパートメントに隣接して配置された開放リードコンパートメントを示す。
【図６】小さなキャリングバッグから取り外されたバッテリバッグの正面図であり、バッテリバッグが部分的に閉じられたリードコンパートメント及び密閉されたバッテリコンパートメントを示し、充電ストアを充電するためのリードのうちの一つが、リードアパーチャを通じて延伸する。
【図７】本発明の別の好ましい実施形態におけるコンポーネントとして使用するための別のバッテリアセンブリの正面図である。
【発明を実施するための形態】
【００６７】
参照する図面において、携帯充電機器を概して１０で示す。携帯充電機器１０は、バッテリケースに囲まれたバッテリに電気的に接続された充電アウトレットリード１６を含むバッテリアセンブリ１４の形態の充電ストア１２を含む。リードとバッテリとの間の電気的接続は、（統合されて）永続的なものであってもよいし、電気ソケットを通じたものであってもよい。電気ソケット１８９は、ＵＳＢソケット、マイクロＵＳＢソケット、ミニＵＳＢソケット、Ｌｉｇｈｔｎｉｎｇソケットまたは１、２、３、４、５、６、７、８、９、１０、１１、１２、１３、１４、１５、１６、１７、１８、１９、２０、２１、２２、２３、２４、２５、２６、２７、２８、２９もしくは３０ピンソケットである他のマルチピンソケットであってもよい。
【００６８】
携帯充電機器１０は、バッテリコンパートメント２０を含むクラッチパース１８をさらに含み、バッテリアセンブリ１４がクラッチパース１８内のバッテリコンパートメント２０内に配置される。携帯充電機器１０は、スマートフォン５を充電するのに適している。
【００６９】
バッテリアセンブリ１４は、充電インレット２２を含む。充電インレット２２は、充電インレットソケット１８９を含む（別個の実施形態において図７に示すが、リードをバッテリに結線で接続できるため、これらは常には存在しなくてもよい）。バッテリ１４は、遠位端２８に充電プラグ２６を含む充電インレットリード２４をさらに含み、これは、バッテリ１４における充電インレットソケット（図示せず）と、マイクロＵＳＢ、ＵＳＢ、Ｌｉｇｈｔｎｉｎｇまたは他の種類の多重ピンコネクタと言われる別の種類の電源出力とを接続する。充電インレットリード２４は、バッテリとともにバッテリコンパートメント２０内に配置されてもよいが、図５及び図６に示すなどの選択された実施形態では、充電インレットリード２４は、ＧＰＯに接続されていないときには、充電リードアパーチャ１２３によってバッテリコンパートメント２０に接続された別個のリードコンパートメント１２５内にある。図５及び図６の充電リードアパーチャ１２３は、充電リードがＵＳＢ電源に接続されていないときに、一端が充電リードコンパートメント１２５の基部に配置され、充電リードが充電リードコンパートメント１２５の基部に沿って一端から他端に平らに延伸することを維持するような選択された長さを持つ。
【００７０】
示す実施形態のバッテリ１４は、バッテリ１４と一体の充電インレットリード２４を含む。
【００７１】
充電インレットリード２４は、示す実施形態では、使い勝手のよい運搬を促進するような小型かつ軽量の携帯電源装置が提供されるように短い。充電インレットリード２４は、バッテリをバッテリコンパートメントから取り外すことなく充電できるように約１００ｍｍの長さである。
【００７２】
充電アウトレットリード１６も、使い勝手のよい運搬を促進するような小型かつ軽量の携帯電源装置が提供されるように短く、約１２０ｍｍの長さである。充電アウトレットリード１６は、なおも、バッテリ１４に接続しつつ、クラッチパースの外側におけるスマートフォン５との接続、及びフォンの動作を容易にするのに十分な長さである。
【００７３】
バッテリコンパートメント２０は、閉じることができ、示す実施形態では、ジッパクロージャ２１によって閉じることができる。ボタン、スナップボタン、フック及びループファスナを含む、適切であり得るバッテリコンパートメントのための他のクロージャも発明者らによって考慮される。
【００７４】
バッテリコンパートメント２０は、クラッチ１８の内側に内外の壁を提供し、この内外の壁は、収容凹部３４、３５がバッテリコンパートメント２０のそれぞれの側面に形成されるように、共に縫合された二つの壁３０、３２をからなる。二つの収容凹部３４、３５は、スマートフォンの画面が他のアイテム（図示せず）によって傷つかないように、スマートフォン５を収容凹部３４内に配置し、他のアイテムを収容凹部３５内に収容できるように形成される。
【００７５】
バッテリコンパートメント２０は、基部端３８においてクラッチパースに取り付けられる。バッテリコンパートメント２０は、二つの側端３７、３９においてクラッチパース１８に取り付けられる。バッテリコンパートメント２０は、側端３７、３９においてクラッチパースに縫合される。しかしながら、バッテリコンパートメント２０は、スナップボタン、ボタン、フック及びループファスナなどを含む任意の他の適切な方法でも全く容易に留めることができる。代替的な実施形態は、バッテリコンパートメントをクラッチ１８内の適当な位置に保持するスナップボタン１６５を有する。
【００７６】
（図７に示すように）提供される充電インレットソケットは、ＵＳＢソケットである。マイクロＵＳＢ、ミニＵＳＢ、ＲＣＡ、Ｅｔｈｅｒｎｅｔ(登録商標)、ＤＩＮ、ＲＪ−ＸＸ、Ｆｉｒｅｗｉｒｅ、Ｌｉｇｈｔｎｉｎｇ、Ｔｈｕｎｄｅｒｂｏｌｔなどを含む他の充電インレットソケットも考慮される。ソケットは、バッテリの前部または後部にそれらのリードをプラグするかのユーザの好みに応じて、一方の端部または反対側の端部のいずれかに沿って配置することができる。
【００７７】
スマートフォン５と接続するための、充電アウトレットリード１６におけるプラグ４０は、Ｉｐｈｏｎｅ５よりも先に生産されたＡｐｐｌｅ Ｉｐｈｏｎｅと接続するタイプの３０ピンプラグ４１である。選択的に、プラグは、Ｉｐｈｏｎｅ５用の８ピンコネクタ、またはＳａｍｓｕｎｇ、ＨＴＣもしくは任意の他のスマートフォンとの接続用のものである。
【００７８】
クラッチパース１８は、クリップ、ボタン、ジッパ、フック及びループファスナ、バックルなどの任意の適切な手段によって閉じることができる。示す実施形態では、クラッチパース１８は、ジッパ１９によって閉じることができる。
【００７９】
バッテリコンパートメント２０は、充電アウトレットリード１６のためのアクセスアパーチャ４２を含む。アクセスアパーチャ４２は、バッテリコンパートメント２０の壁３０に配置される。アクセスアパーチャ４２は、バッテリコンパートメントのジッパ２１を開けることなく、充電アウトレットリード１６へのアクセスをもたらす。これによりバッテリは、スマートフォン５への電力供給またはその充電中に、飛び出るまたは損傷することがない。
【００８０】
前述のように、充電インレットケーブルは、通常の夜間での使用中（すなわち、充電していないとき）、クラッチパース１８の内側の散らかりを少なくするように、使用時にバッテリコンパートメント２０内に配置される。あるいは、インレットケーブルは、コンパートメントからのケーブルの容易な抜き取りのために、図５及び図６に示すように、ジッパ２１に隣接する個々の充電ケーブルコンパートメント内に存在できる
【００８１】
バッテリコンパートメント２０は、スマートフォン５がクラッチパース１８内に配置されているときに、スマートフォンが運搬中にこすれてスマートフォン５の画面が傷つかないように、軟質繊維材料４５から構成される。
【００８２】
図４〜図７を参照すると、多少の差異はあるが、同様の数字が同様のものを示す、前述の他の実施形態に記載するのと同様の特徴が示される。そのようなものとして、電力を携帯電子機器５に供給するための携帯充電機器１１０が示される。携帯充電機器１１０は、第一のコンパートメントがバッテリコンパートメント１２１であり、第二のコンパートメントが、バッテリコンパートメント１２０の壁に形成された充電リードアパーチャによってそれと互いに連絡する充電リードコンパートメント１２５である、少なくとも二つのコンパートメント１２０を含むバッテリバッグ１３０と、バッテリアセンブリ１１４の形態の充電ストア１１２であって、バッテリアセンブリ１１４が、バッテリバッグ１３０の内部に配置されており、バッテリアセンブリ１１４に電気的に接続された第一のリード１２４を含み、バッテリの充電及び／または放電中に、バッテリ１１５と携帯電子機器５との間で電荷を輸送するための近位端及び遠位端を有し、リード１２２が、電源出力と電気的接続するための、遠位端１２８における、マルチピンプラグである遠位プラグ１２６を含む、充電ストア１１２と、を含む。
【００８３】
第二のリード１１６が、バッテリ１１５の充電及び／または放電中に、バッテリ１１５と携帯電子機器との間で電荷を輸送するためにバッテリ１１５に電気的に接続されている。第二のリード１１６は、電気機器と電気的接続するための、遠位端における遠位プラグ１４１を含み、第二のプラグ１４１はマルチピンプラグである。
【００８４】
第一のリードの第二の端部と、異なるタイプの電子機器または電源との間の接続を容易にするためのアダプタプラグが、１３３で示される。電子機器がケーブル１１６を屈曲しないような直角プラグである別のアダプタプラグ１３７を図５に示す。
【００８５】
マルチピン遠位プラグ１４１及びマルチピン遠位プラグ１２６の各々は、１、２、３、４、５、６、７、８、９、１０、１１、１２、１３、１４、１５、１６、１７、１８、１９、２０、２１、２２、２３、２４、２５、２６、２７、２８、２９または他のピンプラグである、任意の種類の適切なプラグである。好ましい実施形態のプラグには、ＡｐｐｌｅによるＬｉｇｈｔｎｉｎｇプラグ、またはＳａｍｓｕｎｇ及び他の同様の電話機と接続するためのマイクロＵＳＢプラグがある。
【００８６】
アダプタプラグ３３及び１３７は、適切なマルチピンプラグ１４１及び１２６のいずれかと、任意の他のものとの間に適応する。しかしながら、好ましくは、プラグは、マイクロＵＳＢと３０ピンプラグとの間、マイクロＵＳＢと８ピンプラグとの間、ＵＳＢと３０ピンプラグとの間、ＵＳＢと８ピンプラグとの間、または逆にも同様に適応する。
【００８７】
第一の及び／または第二のリード１４１、１３３の遠位プラグと、電子機器または電源とを接続するための一つ以上の伸長リード１１７が提供される。伸長リードは、電話機５をクラッチパースの外側で充電できるように提供される。概して、リードの長さは、バッテリの全長とほぼ同じである。伸長リードは、遠位端における近位及び遠位プラグのいずれかに近位ソケットを含み、近位ソケットと遠位プラグとは、異なる電子機器が第一または第二のリードの近位端ではなく、伸長リードの遠位端に接続できるように、互いに連携しない。すなわち、近位端がマイクロＵＳＢであり、遠位端が８ピンであってもよい。あるいは、二つの端部が連携し、共にマイクロＵＳＢであってもよい。
【００８８】
第一及び第二のリードの近位端は、ケーブル１１６、１２４の幅及び屈曲を減少するように、バッテリの壁から一方の側面に沿ってバッテリ壁と実質的に平行に延伸する。
【００８９】
バッテリバッグは、図１〜図３に記載し、示したのと同じ方法で、小さなキャリングバッグ１８に脱着可能に留めるためにそこに取り付けられた脱着可能なファスナ１６０を含む。
【００９０】
連携する取り外し可能なファスナ１６５が、小さなキャリングバッグ１１８の開口に隣接して取り付けられる。取り外し可能なファスナ１６５は、スナップボタン１６７であるが、フック及びループファスナであってもよい。キャリングバッグ１１８は、連携する取り外し可能なファスナ１６６が取り付けられる、バッグ内側のタグ１６９を含む。あるいは、スナップボタンを、キャリングバッグ、クラッチパース１１８の壁に真っ直ぐに取り付けることができる。
【００９１】
バッテリコンパートメント１２１は、バッテリコンパートメントジッパ１２９が開かれているときでさえも、バッテリをバッテリコンパートメント１２１内に保持するバッテリ受け１８０を含む。バッテリ受けは、バッテリコンパートメント１２１を閉じるファスナ１８１である。ファスナ１８１は、縫合されたコンパートメント１２１の形態のシールである。
【００９２】
バッテリバッグ１３０は、バッテリコンパートメント１２１が開口１９０の遠位側に、リードコンパートメント１２５が開口１９０の近位側に配置されるような開口１９０を含む。
【００９３】
充電ストア１１２の充電状態を示す充電表示器１７５が提供される。充電表示器１７５は、バッテリ１１５の壁に配置され、バッテリコンパートメントの壁に形成されたビューイングアパーチャ１７６を通して見ることができる。ビューイングアパーチャ１７６は、引き裂きを阻止するための、アパーチャの周囲に配置された補強材１７７を含む。充電表示器は、小さなキャリングバッグ１１８の空洞の内側を覗き込むことなく見ることができるように、リード１２４のうちの一つまたはプラグ１２６のうちの一つに配置することができる。充電表示器は、ＬＥＤ光であるが、他の光もしくは画面または他の表示灯であってもよい。複数のＬＥＤ光が提供され、示す場合では、４個のＬＥＤ光が提供される。ＬＥＤ光は、ＬＥＤ光の各々が単色光周波数であるか否か、または各々のＬＥＤがコンピュータ制御下で光周波数を選択的に放出できるか否かにかかわらず、適切な色にできる。
【００９４】
バッテリバッグは、携帯電子機器コンパートメント１３４がバッテリバッグの一方の側面に提供され、バッテリバッグの他方の側面におけるバッグ内に、他の物品を収容するための収容コンパートメント１３５が提供されるように、キャリングバッグに取り付けられる（図１〜図３０に関して本明細書に記載するように。
【００９５】
バッテリ装填開口及び／またはリードコンパートメントの開口は、解放可能なファスナ、ジッパ１２９を用いて解放可能に閉じることができる。
【００９６】
バッテリコンパートメントは、バッテリバッグがキャリングバッグ１１８に接続されているときに、第二のリードが、バッテリバッグの外側から、電子機器コンパートメント１３５内におけるキャリングバッグの内側に延伸できるようなリードアパーチャ１４２を含む。リードアパーチャ１４２は、バッテリバッグ１３０の基部に位置する。
【００９７】
この記述及び特許請求の範囲で使用される「からなっている」という用語、及び「からなっている」という用語の形態は、請求された本発明を、任意の変形または追加を排除するようには制限しない。本発明の変更及び改善は、当業者に容易に明らかになる。そのような変更及び改善は、本発明の範囲内にあると意図される。
【００９８】
数々の変化及び／または変更を、広範に記載するような本発明の精神または範囲から逸脱することなく、具体的な実施形態に示すような本発明に為せることが当業者に認識される。それ故に、本実施形態が、あらゆる点で、例証的なものであり、限定的なものではないと考慮されるはずである。
【図１】
2016512984.tif 000003
【図２】
2016512984.tif 000004
【図３】
2016512984.tif 000005
【図４】
2016512984.tif 000006
【図５】
2016512984.tif 000007
【図６】
2016512984.tif 000008
【図７】
2016512984.tif 000009
【手続補正書】
【提出日】平成27年11月5日(2015.11.5)
【手続補正１】
【補正対象書類名】特許請求の範囲
【補正対象項目名】全文
【補正方法】変更
【補正の内容】
【特許請求の範囲】
【請求項１】
外部電源と直接的または間接的に電気的に接続することなくスマートフォンを充電かつ／または再充電し、充電ストアと前記スマートフォンとの間、および／または前記外部電源と前記充電ストアとの間の電荷を輸送できる第１のリードを用いて使用するためのクラッチバッグであって、
ａ．第１のコンパートメントに隠すように適切に含まれる充電ストアと、
ｂ．前記スマートフォンを取り外し可能な形で含むことができる第２のコンパートメントと
を含み、
前記充電ストアが、前記第１のリードの第１の端部と直接電気的に接続するために適応されており、
前記充電ストアを充電する際に、前記第１のリードの第２の端部が、外部電源と直接的または間接的に電気的に接続されており、
前記スマートフォンを充電する際に、前記第１のリードの前記第２の端部が、前記スマートフォンと直接的または間接的に電気的に接続されている、
クラッチバッグ。
【請求項２】
前記第１のリードが前記クラッチバッグに搭載されている、請求項１に記載のクラッチバッグ。
【請求項３】
アパーチャが、前記第１のコンパートメントと前記第２のコンパートメントとの間に連通を提供し、前記第１のリードが前記アパーチャを介して伸びる、または伸びることができる、請求項１または２に記載のクラッチバッグ。
【請求項４】
少なくとも１つのアダプタプラグが前記クラッチバッグに搭載されることにより、前記クラッチバッグがある範囲のスマートフォンデバイスと共に使用でき、この際に各アダプタプラグが、対応する形状および／またはピン状の電気的連通を有するスマートフォンと電気的に接続するよう適応している、請求項１〜３のいずれか１項に記載のクラッチバッグ。
【請求項５】
前記充電ストアの充電状態を示す充電表示器が提供される、請求項１〜４のいずれか１項に記載のクラッチバッグ。
【請求項６】
前記充電表示器を、ビューイングアパーチャを通して見ることができる、請求項５に記載のクラッチバッグ。
【請求項７】
前記充電ストアが、前記第１のコンパートメントに取り外し可能に含まれる、請求項１〜６のいずれか１項に記載のクラッチバッグ。
【請求項８】
前記電気的接続のうちの１つ以上が放電可能である、請求項１〜７のいずれか１項に記載のクラッチバッグ。
【請求項９】
前記スマートフォンを、充電および／または再充電する間使用できる、請求項１〜８のいずれか１項に記載のクラッチバッグ。
【請求項１０】
スマートフォンに電気的充電を提供するクラッチバッグであって、
ａ．第１のコンパートメントに隠すように適切に含まれる充電ストアであって、少なくとも１つのＵＳＢポートおよび少なくとも１つのマルチピンポートを含む、充電ストアと、
ｂ．前記スマートフォンを取り外し可能な状態でその中に含むことのできる第２のコンパートメントと
を含み、
前記充電ストアが、充電される際に外部電源に直接的または間接的に接続され、
前記スマートフォンが、充電される際に前記充電ストアに直接的または間接的に接続される、
クラッチバッグ。
【国際調査報告】
2016512984.tif 000010
2016512984.tif 000011
2016512984.tif 000012